【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
地理的位置を表す地図データの修正を確認するために用いるシステムであって、
処理リソース(150)と、ナビゲーション装置(200)と、を備え、
前記処理リソース(150)は、
前記ナビゲーション装置(200)へ送信するためのユーザ要求を生成するように構成されたユーザ要求生成器(340)と、
前記生成されたユーザ要求を前記ナビゲーション装置(200)へ送信する送信器(162)と、
前記ナビゲーション装置(200)からユーザ応答を受信する受信器(164)と、を備え、
前記ナビゲーション装置(200)は、
前記処理リソース(150)から送信されたユーザ要求を受信する受信器(168)と、
前記受信したユーザ要求を前記ナビゲーション装置(200)のユーザに提示するように構成されたユーザ要求モジュール(354)と、
前記提示されたユーザ要求に対するユーザ応答を取得するためのユーザ応答モジュール(356)と、
前記取得したユーザ応答を前記処理リソース(150)へ送信する送信器(166)と、を備えることを特徴とするシステム。
【請求項２】
前記ユーザ要求には、前記ユーザ要求モジュール(354)が前記ユーザ要求を前記ユーザに提示する１以上の地理的位置を定める位置情報が含まれることを特徴とする請求項１に記載のシステム。
【請求項３】
前記ナビゲーション装置(200)は、該ナビゲーション装置(200)の地理的位置を決定するように構成されたナビゲーションモジュールを備え、
前記ナビゲーションモジュールが、前記ナビゲーション装置(200)の地理的位置が前記位置情報に含まれることを示す場合、前記ユーザ要求モジュール(354)が前記ユーザ要求をユーザに提示することを特徴とする請求項２に記載のシステム。
【請求項４】
前記位置情報は、前記地理的位置と関連づけられる位置から所定の距離にあるゾーンを定めることを特徴とする請求項３に記載のシステム。
【請求項５】
前記所定の距離は確認される修正の種類によって変動することを特徴とする請求項４に記載のシステム。
【請求項６】
前記ユーザ要求生成器(340)は、各々が異なるナビゲーション装置へ送信される複数のユーザ要求を生成するように構成されることを特徴とする請求項１乃至５何れか１項に記載のシステム。
【請求項７】
前記処理リソース(150)は、生成されたユーザ要求が送信されるナビゲーション装置(200)を選択するように動作可能な装置選択モジュール(338)を備えることを特徴とする請求項６に記載のシステム。
【請求項８】
前記処理リソース(150)は、ナビゲーション装置(200)が移動したナビゲーション経路を格納するように構成された経路ログ(304)を備えることを特徴とする請求項７に記載のシステム。
【請求項９】
前記装置選択モジュール(338)は装置のセットを選択するように構成され、前記装置のセットのために、前記修正と関連づけられる地理的位置の周辺にある位置を含む経路ログに経路が格納されることを特徴とする請求項７又は８に記載のシステム。
【請求項１０】
前記装置選択モジュール(338)は装置のセットを選択するように構成され、前記装置のセットのために、前記修正と関連づけられる地理的位置を含む前記経路ログ(304)に経路が格納されることを特徴とする請求項９に記載のシステム。
【請求項１１】
前記装置選択モジュール(338)は、複数の装置の中から装置(200)のセットをランダムに選択するように構成され、前記複数の装置の各々のために、前記修正と関連づけられる地理的位置の周辺にある位置を含む前記経路ログ(304)に経路が格納されることを特徴とする請求項９又は１０に記載のシステム。
【請求項１２】
前記処理リソース(150)は、前記修正を確認するためにユーザ応答を解析する応答レビューモジュール(342)を備えることを特徴とする請求項１乃至１１の何れか１項に記載のシステム。
【請求項１３】
前記ユーザ要求モジュールは、音声メッセージを再生することにより前記ユーザ要求を前記ユーザに提示するように構成されることを特徴とする請求項１乃至１２の何れか１項に記載のシステム。
【請求項１４】
前記ユーザ要求モジュールは、前記ユーザに対して視覚的なメッセージを表示することにより前記ユーザ要求を提示するように構成されることを特徴とする請求項１乃至１３の何れか１項に記載のシステム。
【請求項１５】
地理的位置を表す地図データの修正を確認するために用いられる方法であって、
処理リソース(150)からナビゲーション装置(200)へ送信するユーザ要求を生成する工程と、
前記生成されたユーザ要求を前記ナビゲーション装置(200)へ送信する工程と、
前記ユーザ要求を前記ナビゲーション装置(200)のユーザに提示するために前記ナビゲーション装置(200)を制御する工程と、
前記提示されたユーザ要求に対するユーザ応答を取得する工程と、
前記ユーザ応答を前記処理リソース(150)へ送信する工程と、
を備えることを特徴とする方法。
【請求項１６】
さらに、前記修正を確認するために前記ユーザ応答を解析する工程を備えることを特徴とする請求項１５に記載の方法。
【請求項１７】
地理的位置を表す地図データの修正を確認するために用いられる方法であって、
処理リソース(150)からナビゲーション装置(200)へ送信するユーザ要求を生成する工程と、
前記ユーザ要求を前記ナビゲーション装置(200)のユーザに提示するために、前記生成されたユーザ要求を前記ナビゲーション装置(200)へ送信する工程と、
前記提示されたユーザ要求に対してナビゲーション装置(200)からユーザ応答を受信する工程と、を備えることを特徴とする方法。
【請求項１８】
地理的位置を表す地図データの修正を確認するために用いられる方法であって、
ナビゲーション装置(200)において、処理リソース(150)から送信されたユーザ要求を受信する工程と、
前記ユーザ要求を前記装置のユーザに提示するために、前記ナビゲーション装置(200)を制御する工程と、
前記提示された要求に対するユーザ応答を取得する工程と、
前記ユーザ応答を前記処理リソース(150)へ送信する工程と、を備えることを特徴とする方法。
【請求項１９】
コンピュータプログラムであって、プロセッサリソースによって実行される場合、請求項１５乃至１８の何れか１項に記載の方法を前記プロセッサリソースに実行させるように構成された１以上のコンピュータプログラムモジュールを備えることを特徴とするコンピュータプログラム。
【請求項２０】
コンピュータプログラムであって、コンピュータで読み取りが可能な媒体に格納されたことを特徴とする請求項１９に記載のコンピュータプログラム。
【請求項２１】
地理的位置を表す地図データの修正を確認するために用いるシステムにおいて用いられるように構成された処理リソース(150)であって、前記システムは、前記処理リソース(150)から送信されたユーザ要求を受信する受信器(168)と、受信されたユーザ要求をナビゲーション装置(200)のユーザに提示するように構成されたユーザ要求モジュール(354)と、前記提示されたユーザ要求に対するユーザ応答を取得するためのユーザ応答モジュール(356)と、前記取得したユーザ応答を前記処理リソース(150)へ送信するための送信器(166)と、を備え、前記処理リソースは、
前記ナビゲーション装置(200)へ送信するためのユーザ要求を生成するように構成されたユーザ要求生成器(340)と、
前記生成されたユーザ要求を前記ナビゲーション装置(200)へ送信する送信器(162)と、
前記ナビゲーション装置から前記ユーザ応答を受信するための受信器(164)と、を備えることを特徴とする処理リソース。
【請求項２２】
地理的位置を表す地図データの修正を確認するために用いるシステムにおいて用いられるように構成されたナビゲーション装置(200)であって、前記システムは、処理リソース(150)を備え、前記処理リソース(150)は、前記ナビゲーション装置(200)へ送信するためのユーザ要求を生成するように構成されたユーザ要求生成器(340)と、前記生成されたユーザ要求を前記ナビゲーション装置(200)へ送信する送信器(162)と、前記ナビゲーション装置(200)のユーザに提示されたユーザ要求に対するユーザ応答を前記ナビゲーション装置から受信するための受信器(164)と、を備え、前記ナビゲーション装置(200)は、
前記処理リソース(150)から送信されたユーザ要求を受信するための受信器(168)と、
前記受信されたユーザ要求を前記ナビゲーション装置(200)のユーザに提示するように構成されたユーザ要求モジュール(354)と、
前記提示されたユーザ要求に対する前記ユーザ応答を取得するためのユーザ応答モジュール(356)と、
前記取得したユーザ応答を前記処理リソース(150)へ送信する送信器(166)と、を備えるナビゲーション装置。